(57)【要約】【課題】取り外したストッパーの置き場を確保する必要がない、使い勝手に優れたポンプ式注出器を提供する。【解決手段】本発明のポンプ式注出器は、容器１の口部に保持されるベースキャップ２と、容器１の内容液を汲み上げるポンプ３と、押し下げ及び復元の繰り返しによりポンプ３を駆動させるノズルヘッド１４と、ベースキャップ２とノズルヘッド１４の相互間に取り付けられるストッパー１５とを備え、ストッパー１５は、弾性変形可能であって被嵌着部２ｄに着脱可能に保持される円弧状の側壁１５ａと、側壁１５ａの外周面から外側に突出するフランジ１５ｂとを有し、ノズルヘッド１４は、側壁１５ａを着脱可能に保持する外周壁１４ｄと、外周壁１４ｄに対して外側に向けて突出して側壁１５ａを下方から支持する支持部１４ｅとを有する。【選択図】図１
2016101959.tif 000002
【特許請求の範囲】
【請求項１】
容器の口部に保持されるベースキャップと、該ベースキャップにより該口部に吊下げ保持され該容器の内容液を汲み上げるポンプと、押し下げ及び復元の繰り返しにより該ポンプを駆動させてノズルの先端開口から該内容液を吐出させるノズルヘッドと、該ベースキャップと該ノズルヘッドの相互間に位置する被嵌着部に取り付けられて該ノズルヘッドの押し下げを阻止するストッパーとを備えるポンプ式注出器において、
前記ストッパーは、弾性変形可能であって前記被嵌着部に着脱可能に保持される円弧状の側壁と、該側壁の外周面から外側に突出するフランジとを有し、
前記ノズルヘッドは、該側壁を着脱可能に保持する外周壁と、該外周壁に対して外側に向けて突出して該側壁を下方から支持する支持部とを有するポンプ式注出器。
【請求項２】
前記フランジは、前記側壁の軸線方向一端部に設けられる請求項１に記載のポンプ式注出器。
【請求項３】
前記ノズルヘッドは、前記外周壁に保持された前記ストッパーの側壁の上方において、該外周壁に対して外側に向けて突出する突起を有する請求項１又は２に記載のポンプ式注出器。
【請求項４】
前記支持部は、前記外周壁に対して周方向に間隔をあけて設けられる複数のリブで構成される請求項１〜３のいずれか一項に記載のポンプ式注出器。
【請求項５】
前記側壁の内周面に、内側に向けて突出して前記被嵌着部或いは前記外周壁に当接する凸部を有する請求項１〜４のいずれか一項に記載のポンプ式注出器。
【発明の詳細な説明】
【技術分野】
【０００１】
本発明は、容器に充填した内容液を外界に向けて吐出させるポンプ式注出器に関するものであり、特にノズルヘッドの押し下げを阻止するストッパーを有するものに関する。
【背景技術】
【０００２】
シャンプー、ボディソープ、ハンドソープ、洗顔料等の内容液を充填した容器においては、据え置きタイプの容器の他、持ち運んで使うことを想定したハンディタイプの容器においても、ベースキャップによって容器の口部に保持され、ノズルヘッドを押し下げ及び復元させることでノズルの先端開口から内容液を吐出させるポンプ式注出器を装備したものが多用されている。
【０００３】
この種のポンプ式注出器にあっては、内容液を充填した容器に装着した状態において、輸送時や保管時でノズルヘッドが不用意に押し下げられるのを防止するため、ベースキャップとノズルヘッドの相互間に取り付けられるストッパーを設けることが一般的である（例えば特許文献１参照）。
【先行技術文献】
【特許文献】
【０００４】
【特許文献１】実公昭６３−３３６４６号公報
【発明の概要】
【発明が解決しようとする課題】
【０００５】
ところで従来のポンプ式注出器では、使用開始にあたってストッパーを取り外した際には、このストッパーの置き場が必要になる。また、取り外したストッパーを紛失してしまうと、次回容器を別の場所へ移動させることが不便になる。このため、使い勝手の点で未だ改善の余地が残されている。
【０００６】
またこの種のポンプ式注出器では、ハンディタイプの容器に装着する場合であっても、据え置きタイプの容器のように、容器を床面等においた状態で片手でノズルヘッドを押し下げるような使い方が求められることがある。しかし、ハンディタイプの容器に用いる場合、ポンプ式注出器は小型になることから、ポンプを駆動させる際に指を押し当てるノズルヘッドの天面の面積も小さくなるため、操作性は必ずしもよいとは言えないのが現状であった。
【０００７】
本発明はこのような問題点を解決することを課題とするものであり、その目的は、取り外したストッパーの取り扱い性に優れ、またハンディタイプの容器に装着する場合であっても据え置きタイプの容器の如き使い方が簡単に行える、新たなポンプ式注出器を提供することにある。
【課題を解決するための手段】
【０００８】
本発明は、容器の口部に保持されるベースキャップと、該ベースキャップにより該口部に吊下げ保持され該容器の内容液を汲み上げるポンプと、押し下げ及び復元の繰り返しにより該ポンプを駆動させてノズルの先端開口から該内容液を吐出させるノズルヘッドと、該ベースキャップと該ノズルヘッドの相互間に位置する被嵌着部に取り付けられて該ノズルヘッドの押し下げを阻止するストッパーとを備えるポンプ式注出器において、
前記ストッパーは、弾性変形可能であって前記被嵌着部に着脱可能に保持される円弧状の側壁と、該側壁の外周面から外側に突出するフランジとを有し、
前記ノズルヘッドは、該側壁を着脱可能に保持する外周壁と、該外周壁に対して外側に向けて突出して該側壁を下方から支持する支持部とを有するポンプ式注出器である。
【０００９】
前記フランジは、前記側壁の軸線方向一端部に設けられることが好ましい。
【００１０】
前記ノズルヘッドは、前記外周壁に保持された前記ストッパーの側壁の上方において、該外周壁に対して外側に向けて突出する突起を有することが好ましい。
【００１１】
前記支持部は、前記外周壁に対して周方向に間隔をあけて設けられる複数のリブで構成されることが好ましい。
【００１２】
前記側壁の内周面に、内側に向けて突出して前記被嵌着部或いは前記外周壁に当接する凸部を有することが好ましい。
【発明の効果】
【００１３】
本発明のポンプ式注出器において、ストッパーは、弾性変形可能であって、ベースキャップとノズルヘッドの相互間に位置する被嵌着部に着脱可能に保持される円弧状の側壁と、この側壁の外周面から外側に突出するフランジとを有し、ノズルヘッドは、側壁を着脱可能に保持する外周壁と、この外周壁に対して外側に向けて突出して側壁を下方から支持する支持部とを有している。すなわち、本発明におけるストッパーは、被嵌着部から取り外した後はノズルヘッドに装着することができるので、使用開始後の置き場を確保する必要がなくなる。またノズルヘッドに装着したストッパーは、支持部によって下方から支持されることから、ノズルヘッドの天面のみならずフランジ部に指を押し当ててノズルヘッドを押圧することができる。これにより、ハンディタイプの容器に装着する場合であっても、所望に応じて据え置きタイプの容器の如き使い方が簡単に行えるようになる。
【００１４】
フランジを側壁の軸線方向一端部に設ける場合は、ノズルヘッドにストッパーを装着する際に、フランジが上方に位置する向きで装着すれば上述したような据え置きタイプの容器の如き使い方ができ、またフランジが下方に位置する向きで装着すればノズルヘッドの天面からフランジが離れることになるので、従来のハンディタイプの容器と同様の使い方ができる。すなわち、ストッパーを取り付ける向きを変えることで、使用者の好みに合った使い方を選択することができる。
【００１５】
ノズルヘッドに、外周壁に保持されたストッパーの側壁の上方において、外周壁に対して外側に向けて突出する突起を設ける場合は、この突起によってストッパーの上方への抜け出しを阻止することができるので、使い勝手がよくなる。
【００１６】
ノズルヘッドの支持部は、周方向に連続して延在するものでもよいが、外周壁に対して周方向に間隔をあけて間欠的に設けられる複数のリブで構成する場合は、ノズルヘッドを形成する樹脂材料を削減することができるので、コストを抑えることができる。
【００１７】
ストッパーの側壁の内周面に、内側に向けて突出して被嵌着部やノズルヘッドの外周壁に当接する凸部を設ける場合は、凸部を設けない場合に対して被嵌着部や外周壁に対するストッパーの接触面積が減るので、ストッパーを取り外す際の力がより小さくなる。
【図面の簡単な説明】
【００１８】
【図１】本発明に従うポンプ式注出器の一実施形態を、容器の口部に装着した状態で示す断面図である。
【図２】図１に示すポンプ式注出器の部分拡大図である。
【図３】図２に示すポンプ式注出器の平面図である。
【図４】図１に示すストッパーの斜視図である。
【図５】図１に示すポンプ式注出器からストッパーを取り外した後、このストッパーをフランジが上方に位置する向きでノズルヘッドに装着した状態を示す部分拡大断面図である。
【図６】図５に示すポンプ式注出器の平面図である。
【図７】図１に示すポンプ式注出器からストッパーを取り外した後、このストッパーをフランジが下方に位置する向きでノズルヘッドに装着した状態を示す部分拡大断面図である。
【発明を実施するための形態】
【００１９】
以下、図面を参照して、本発明であるポンプ式注出器の一実施形態を詳細に説明する。なお、本願明細書、特許請求の範囲、及び要約書において「上」方向とは、ベースキャップに対してノズルヘッドが位置する向きを示し、「下」方向とは、その反対方向を示す。
【００２０】
図１〜図３において、符号１は、シャンプー等の内容液を充填可能な容器を示す。本実施形態の容器１は、容量の小さいハンディタイプの容器を例示しているが、据え置きタイプの容器を用いることもできる。
【００２１】
図中、符号２は、容器１の口部に保持されるベースキャップを示す。ベースキャップ２は、中央部から周縁部に向けて僅かに下向きに傾斜する円板状の天面壁２ａと、天面壁２ａの縁部より垂下される円筒状の外壁２ｂを有していて、外壁２ｂの内側に設けたネジ部を容器１の口部に設けたネジ部にねじ込むことで着脱自在に保持される。なお、ベースキャップ２を容器１に保持するには、アンダーカット等、従来知られた他の係合手段を用いてもよい。天面壁２ａは、その中央を貫く貫通孔２ｃを備えるとともに、貫通孔２ｃを取り囲んで起立する筒状壁２ｄを備えている。
【００２２】
図中、符号３は、ベースキャップ２によって容器１の口部に吊下げ保持され、容器１に充填した内容液を汲み上げるポンプを示す。本実施形態のポンプ３は、小径筒体４ａと大径筒体４ｂとを直列状に配置した形態をなすシリンダー４に、内容液用ピストン５、ポペット６、ステム７、スプリング８、ボール弁９、ジェットリング１０、空気用ピストン１１、逆止弁１２を組み込んだものであり、ステム７の押し下げ及び復帰によって、内容液と空気とをそれぞれ個別に吸引、加圧した後、これらを合流させて圧送するものである。シリンダー４の上方には径方向外側に延在するフランジ壁４ｃが設けられていて、容器１に垂下保持されるにあたっては、このフランジ壁４ｃの下面側にパッキンＰを設け、容器１の口部との間でパッキンＰを挟み込むようにしている。
【００２３】
また、ジェットリング１０の内側には、ポンプ３から圧送された内容液及び空気を発泡させるメッシュリング１３が配されている。本実施形態のメッシュリング１３は、リング状となる本体部の一端部にメッシュが取り付けられたものであり、総計２個のメッシュリング１３を、それぞれのメッシュが外側を向くように（メッシュを設けていない側が合わせ目となるように）して取り付けている。
【００２４】
また、ジェットリング１０の上部には、ノズルヘッド１４が設けられている。ノズルヘッド１４には、ジェットリング１０に嵌合保持される円筒状の内周壁１４ａが設けられている。またノズルヘッド１４には、内周壁１４ａにつながるとともに横向きに延在するノズル１４ｂが設けられていて、ノズル１４ｂの先端には、内容液の吐出口となる先端開口１４ｃが形成されている。内周壁１４ａの径方向外側には、内周壁１４ａよりも長さが短い円筒状の外周壁１４ｄが設けられている。またノズルヘッド１４には、外周壁１４ｄの下方において、外周壁１４ｄに対して径方向外側に突出するとともに周方向に間隔をあけて設けられる複数（本実施形態では３個）のリブ１４ｅが設けられている。さらにノズルヘッド１４には、ノズル１４ｂの反対側において、ノズルヘッド１４の天面１４ｆに沿うように、外周壁１４ｄに対して径方向外側に向けて突出する板状の突起１４ｇが設けられている。
【００２５】
符号１５は、ストッパーを示す。図４に示すようにストッパー１５は、径方向に弾性変形可能な円弧状の側壁１５ａと、側壁１５ａの外周面から径方向外側に突出するフランジ１５ｂと、側壁１５ａの内周面から径方向内側に向けて突出する凸部１５ｃ（本実施形態では、周方向に間隔をあけて３個設けている）とを備えている。フランジ１５ｂは、側壁１５ａの軸線方向中間部に設けることも可能であるが、本実施形態では側壁１５ａの軸線方向一端部に設けている。
【００２６】
上述した形態になるストッパー１５は、図２、図３に示すように、ベースキャップ２とノズルヘッド１４の相互間において、筒状壁２ｄに着脱可能に保持することができる。すなわち筒状壁２ｄは、ストッパー１５が取り付けられる被嵌着部として機能する。なおストッパー１５は、筒状壁２ｄを省略してノズルヘッド１４の内周壁１４ａに取り付けてもよい。ここで、筒状壁２ｄに取り付けたストッパー１５は、側壁１５ａがベースキャップ２の天面壁２ａとノズルヘッド１４の外周壁１４ｄとの間に介在することになるので、ノズルヘッド１４の不用意な押し下げを防止することができる。なお、図示のように、フランジ１５ｂが下方に位置する向きでストッパー１５を取り付ければ、フランジ１５ｂが天面壁２ａに近接した状態になるので、フランジ１５ｂが邪魔になることがない。また、ストッパー１５を取り付けた際には、凸部１５ｃが筒状壁２ｄに当接するようにしている。これにより、凸部１５ｃを設けない場合に対して筒状壁２ｄに対するストッパー１５の接触面積が減るので、より小さな力でストッパー１５を取り外すことができる。
【００２７】
内容液を吐出させるにあたって筒状壁２ｄから取り外したストッパー１５は、図５、図６に示すように、ノズルヘッド１４の外周壁１４ｄに取り付けることができる。この状態において、ノズルヘッド１４の下方に設けたリブ１４ｅは、側壁１５ａの下方に位置していて、ストッパー１５を下方から支持する支持部として機能する。また、ノズルヘッド１４の上方に設けた突起１４ｇは、側壁１５ａの上方に位置していて、ストッパー１５の上方への抜け出しを阻止する機能を果たしている。そして、図示のようにフランジ１５ｂが上方に位置する向きでストッパー１５を取り付けることによって、フランジ１５ｂが天面１４ｆと略同じ高さで揃うことになるので、ノズルヘッド１４を押し下げるにあたって指を押し当てる部分は天面１４ｆからフランジ１５ｂに及び、指で押す部分の面積が増えることになる。これにより、据え置きタイプの容器のような、容器１を床面等においた状態で片手でノズルヘッド１４を押し下げる使い方でも、ノズルヘッド１４が押し下げやすくなる。なお、上述の向きでストッパー１５を取り付けることは、据え置きタイプの容器の如き使い方を所望する場合に限られるものではなく、通常のハンディタイプの容器のような、容器１を片手で掴んでもう一方の手でノズルヘッド１４を押し下げる使い方を所望する場合にも適用することができる。そして、ストッパー１５を外周壁１４ｄに取り付けた場合にあっても、凸部１５ｃが外周壁１４ｄに当接して、ストッパー１５と外周壁１４ｄとの接触面積を減らすことができるので、ストッパー１５をより小さな力で取り外すことができる。
【００２８】
ストッパー１５をノズルヘッド１４に装着するにあたり、例えば、従来のハンディタイプの容器と同様の使い方を所望する場合は、図７に示すように、フランジ１５ｂが下方に位置する向きで取り付けることも可能である。このように、ストッパー１５を取り付ける向きを変えることで、使用者の好みに合った使い方を選択することができる。
【００２９】
本発明に従うポンプ式注出器は、上述した実施形態に限定されるものではなく、特許請求の範囲に従う範囲で種々の変更が可能である。例えば上述した実施形態では、ストッパー１５を下方から支持する支持部として、外周壁１４ｄに対して周方向に間隔をあけて間欠的に設けられる複数のリブ１４ｅで構成したが、周方向に連続して設けられるように構成することも可能である。また、上述した突起１４ｇや凸部１５ｃを省略した構成としてもよい。また本発明に従うポンプ式注出器は、上述した内容液を発泡させて吐出させるものに限られず、発泡させずに吐出させるものや、内容液を霧状にして吐出させるもの等、種々の態様のものが含まれる。またポンプは、上述した態様のものに限られず、従来知られた他の態様のポンプを用いることもできる。また、所望する内容液の性状に応じて、上述したメッシュリングの個数や配置、またこれを設けるか否かについても選択することができる。
【符号の説明】
【００３０】
１：容器
２：ベースキャップ
２ａ：天面壁
２ｂ：外壁
２ｃ：貫通孔
２ｄ：筒状壁（被嵌着部）
３：ポンプ
４：シリンダー
４ａ：小径筒体
４ｂ：大径筒体
４ｃ：フランジ壁
５：内容液用ピストン
６：ポペット
７：ステム
８：スプリング
９：ボール弁
１０：ジェットリング
１１：空気用ピストン
１２：逆止弁
１３：メッシュリング
１４：ノズルヘッド
１４ａ：内周壁
１４ｂ：ノズル
１４ｃ：先端開口
１４ｄ：外周壁
１４ｅ：リブ（支持部）
１４ｆ：天面
１４ｇ：突起
１５：ストッパー
１５ａ：側壁
１５ｂ：フランジ
１５ｃ：凸部
Ｐ：パッキン
【図１】
2016101959.tif 000003
【図２】
2016101959.tif 000004
【図３】
2016101959.tif 000005
【図４】
2016101959.tif 000006
【図５】
2016101959.tif 000007
【図６】
2016101959.tif 000008
【図７】
2016101959.tif 000009